(57)【特許請求の範囲】
【請求項１】
上枠、下枠および縦枠を枠組みして構成された枠体と、二つ折り可能に構成されて前記枠体内に開閉可能に取り付けられた戸本体とを備えた折戸であって、
前記戸本体は、吊元側縦框と可動側縦框とを有し、これら各縦框の上端部には同一構造の吊元側上戸車および可動側上戸車がそれぞれ取り付けられ、
前記枠体の上枠には、上枠に沿って連続するレールが設けられ、かつ、上枠において前記吊元側縦框が設けられる端部側には取付孔が形成され、この取付孔には吊元側設定部材が挿入されて取り付けられ、
前記各上戸車の上面には、一端側のみが上戸車側面に開口され、他端は係止壁部で塞がれている吊元用ガイド溝と、両端が上戸車側面に開口された可動用ガイド溝とが形成され、
前記各上戸車の前記吊元用ガイド溝に沿った方向の長さ寸法は、前記可動用ガイド溝に沿った方向の長さ寸法よりも小さく設定され、
前記吊元側設定部材は、前記縦枠内側面から前記上戸車の吊元側ガイド溝に沿った方向の長さ寸法以上、かつ、前記可動用ガイド溝に沿った方向の長さ寸法未満離れた位置に配置されて、前記縦枠内側面と当該吊元側設定部材との間隔を前記吊元側上戸車のみが配置可能な寸法に設定し、
前記吊元側上戸車は、前記吊元側縦框に対して前記吊元用ガイド溝が見付け方向となる向きに取り付けられ、前記係止壁部が前記レールに形成された切欠部に係止されることで前記レールに対して移動不能に設定され、
前記可動側上戸車は、前記可動側縦框に対して前記可動用ガイド溝が見付け方向となる向きに取り付けられている折戸。
【請求項２】
前記取付孔は、前記上枠の両端部に形成され、
前記吊元側設定部材は、前記各取付孔のうち、前記上枠の吊元側端部の取付孔に着脱可能に取り付けられている請求項１に記載の折戸。
【請求項３】
前記吊元側設定部材は、設定部本体と、係止部とを備え、
前記設定部本体は、前記上枠にビス止め可能に形成され、
前記係止部は、前記上枠の取付孔に係止可能かつ前記設定部本体から切除可能に形成されている請求項１または請求項２に記載の折戸。
【請求項４】
前記吊元側縦框および前記可動側縦框には、前記戸本体を開状態にした際に互いに当接して、前記吊元側上戸車と可動側上戸車との間に所定寸法の間隔が保持されるように構成された当接部がそれぞれ設けられ、
前記吊元側設定部材は、前記戸本体を開状態にした際に前記吊元側上戸車および可動側上戸車間に配置されている請求項１から請求項３のいずれかに記載の折戸。
【発明の詳細な説明】
【技術分野】
【０００１】
本発明は、浴室や各居室の出入り口等に設けられる二つ折り可能な戸本体（扉体）を有する折戸に関する。
【背景技術】
【０００２】
従来から、浴室と脱衣室との間に設置される折戸が知られている（例えば特許文献１）。この折戸は、浴室の出入口開口部に配設された枠体と、この枠体内に支持された折戸本体とを有している。折戸本体は、吊元側縦框と可動側縦框とを有して構成され、各縦框の上下端部には、上下枠に沿ってスライド移動する同一構造の戸車がそれぞれ設けられている。このうち、吊元側縦框の戸車（吊元側戸車）が、ストッパによって上下枠の端部に位置規制されることによって、折戸本体が、枠体内で二つ折り自在に構成され、開閉可能となっている。なお、通常、ストッパは、ビス止めによって枠体に固定されている。
【０００３】
【特許文献１】特開平１０−１３１５９７号公報（図１）
【発明の開示】
【発明が解決しようとする課題】
【０００４】
しかしながら、同一構造の上戸車を吊元側縦框と可動側縦框との上端部にそれぞれ取り付けて、ストッパによって吊元側上戸車の位置を規制する際に、従来のストッパでは、通常、ビス止めしていたため取付作業が煩雑となっていた。
【０００５】
本発明の目的は、同一構造の上戸車を吊元側上戸車および可動側上戸車として使用する際に、上戸車の一方を吊元側上戸車として簡単な構造で容易に設定することができる折戸を提供することである。
【課題を解決するための手段】
【０００６】
本発明の折戸は、上枠、下枠および縦枠を枠組みして構成された枠体と、二つ折り可能に構成されて前記枠体内に開閉可能に取り付けられた戸本体とを備えた折戸であって、前記戸本体は、吊元側縦框と可動側縦框とを有し、これら各縦框の上端部には同一構造の吊元側上戸車および可動側上戸車がそれぞれ取り付けられ、前記枠体の上枠には、上枠に沿って連続するレールが設けられ、かつ、上枠において前記吊元側縦框が設けられる端部側には取付孔が形成され、この取付孔には吊元側設定部材が挿入されて取り付けられ、前記各上戸車の上面には、一端側のみが上戸車側面に開口され、他端は係止壁部で塞がれている吊元用ガイド溝と、両端が上戸車側面に開口された可動用ガイド溝とが形成され、前記各上戸車の前記吊元用ガイド溝に沿った方向の長さ寸法は、前記可動用ガイド溝に沿った方向の長さ寸法よりも小さく設定され、前記吊元側設定部材は、前記縦枠内側面から前記上戸車の吊元側ガイド溝に沿った方向の長さ寸法以上、かつ、前記可動用ガイド溝に沿った方向の長さ寸法未満離れた位置に配置されて、前記縦枠内側面と当該吊元側設定部材との間隔を前記吊元側上戸車のみが配置可能な寸法に設定し、前記吊元側上戸車は、前記吊元側縦框に対して前記吊元用ガイド溝が見付け方向となる向きに取り付けられ、前記係止壁部が前記レールに形成された切欠部に係止されることで前記レールに対して移動不能に設定され、前記可動側上戸車は、前記可動側縦框に対して前記可動用ガイド溝が見付け方向となる向きに取り付けられていることを特徴とする。
【０００７】
このような構成によれば、吊元側設定部材を取付孔に挿入させるだけで、吊元側設定部材を上枠に容易に取り付けることができ、吊元側設定部材によって吊元側上戸車が移動不能に設定される。従って、従来のようにビス止めによる取付作業を行う場合に比べて、吊元側設定部材を容易に取り付けることができて、施工作業性が向上される。
また、同一構造の上戸車を吊元側上戸車および可動側上戸車として兼用することができ、部品点数を少なくしてコストを低減させることができる。
【００１１】
さらに、上戸車は、吊元用ガイド溝をレールに対して配置可能な向きにすれば吊元用上戸車となり、可動用ガイド溝をレールに対して配置可能な向きにすれば移動用上戸車となる。つまり、前記上戸車を吊元側上戸車および可動側上戸車として兼用できるので、部品点数を少なくでき、コストも低減できる。
【００１２】
また、上枠において吊元側となる端部側に、縦枠内側面からの間隔寸法が、上戸車の吊元側ガイド溝に沿った方向の長さ寸法以上、かつ、前記可動用ガイド溝に沿った方向の長さ寸法未満となる位置に吊元側設定部材を配置したので、吊元側縦框上端に取り付けられる上戸車は、吊元側ガイド溝がレールに沿った方向つまり吊元側上戸車として利用される場合の向きに設定された状態でなければ縦枠内側面および吊元側設定部材間に配置することができない。
つまり、縦枠内側面と吊元側設定部材との間隔寸法が、可動側上戸車の見付け方向の長さ寸法未満に設定されているので、吊元側縦框における上戸車を誤って可動側上戸車の向きに設定した場合には、上戸車と吊元側設定部材とが互いに干渉して、戸本体を枠体内に取り付けることができない。
従って、吊元側設定部材を設けることによって、枠体内に戸本体を取り付ける際に、吊元側縦框における上戸車が、可動側上戸車となる向きではなく、吊元側上戸車となる向きに正しく設定されていなければ取り付けることができないため、その向きを確認する手間を省くことができる。従って、施工作業の効率化を図ることができる。
【００１３】
さらに、吊元側上戸車は、前記係止壁部が前記切欠部に当接することで前記レールに対して移動不能に設定されているため、吊元側設定部材は、吊元側上戸車の移動を規制する機能を有する必要はない。このため、吊元側上戸車から吊元側設定部材に作用する力は生じず、吊元側設定部材の剛性や耐荷重を小さくでき、その分、吊元側設定部材を薄くかつコンパクトな構造にすることができる。従って、吊元側設定部材の厚さ寸法をレールの高さ寸法より小さく、つまり、レールよりも戸本体側に突出しない寸法に設定することができ、有効開口寸法を確保することができて戸本体を枠体に対してスムーズに開閉させることができる。
【００１４】
本発明の折戸では、前記取付孔は、前記上枠の両端部に形成され、前記吊元側設定部材は、前記各取付孔のうち、前記上枠の吊元側端部の取付孔に着脱可能に取り付けられていることが好ましい。
このような構成によれば、上枠の両端部のどちらでも吊元側設定部材を取り付けることができるので、上枠の両端部を吊元側端部と可動側端部のどちらにも設定することができる。従って、折戸の開閉方向（右開き、左開き）に関わらず枠体を共通化させることができ、枠体の生産性を向上できる。
【００１５】
また、吊元側設定部材は、上枠に対して着脱可能に形成されているので、設置現場において、折戸の開閉方向の変更が生じた場合には、上枠の一方の端部に取り付けられている吊元側設定部材を上枠から取り外して、もう一方の端部に取り付けることだけで、容易に開閉方向の変更をすることができる。また、製造工場においていずれかの取付孔に吊元側設定部材を仮に取り付けておき、設置現場において吊元側設定部材を一旦取り外して、吊元側の取付孔に正式に取り付けるということも容易にできる。
【００１６】
本発明の折戸では、前記吊元側設定部材は、設定部本体と、係止部とを備え、前記設定部本体は、前記上枠にビス止め可能に形成され、前記係止部は、前記上枠の取付孔に係止可能かつ前記設定部本体から切除可能に形成されていることが好ましい。
【００１７】
このような構成によれば、係止部が取付孔に係止可能かつ設定部本体が上枠にビス止め可能に形成されるので、吊元側設定部材を取付孔に挿入させて上枠に取り付けて、さらにビス止めすることによって、より堅固に吊元側設定部材を上枠に固定することができる。
また、係止部が設定部本体から切除可能に形成されているので、係止部を設定部本体との連結部分で折って、設定部本体のみを上枠にビス止めで固定することができる。従って、取付孔が形成されていない上枠であっても、吊元側設定部材をビス止めで上枠に固定させることができる。
【００１８】
本発明の折戸では、前記吊元側縦框および前記可動側縦框には、前記戸本体を開状態にした際に互いに当接して、前記吊元側上戸車と可動側上戸車との間に所定寸法の間隔が保持されるように構成された当接部がそれぞれ設けられ、前記吊元側設定部材は、前記戸本体を開状態にした際に前記吊元側上戸車および可動側上戸車間に配置されていることが好ましい。
【００１９】
このような構成によれば、吊元側設定部材の見付け方向の幅寸法を、前記戸本体を開状態にした際の各上戸車間寸法以下に設定し、かつ、吊元側設定部材の取付位置を、前記戸本体を開状態にした際の各上戸車間に納まるように設けることで、折戸を開いた際に、吊元側上戸車に近づく方向に移動される可動側上戸車が吊元側設定部材に当接することを防止できる。このため、吊元側設定部材に戸本体を開いた際の衝撃力が加わることがないため、吊元側設定部材の剛性や耐荷重はさらに小さくでき、その分、薄くかつコンパクトな構造にすることができる。従って、有効開口寸法をより大きく確保することができる。
【発明を実施するための最良の形態】
【００２０】
以下、本発明の一実施形態を図面に基づいて説明する。
本実施形態は、浴室出入口に設けられる折戸１であり、図１は折戸１を浴室側から見た正面図、図２および３は折戸１の縦断面図および横断面図である。
折戸１は、浴室出入口に固定される枠体１０と、この枠体１０内に配置される２枚の障子２０Ａ，２０Ｂを備えた戸本体２０とを備えて構成されている。
【００２１】
枠体１０は、上枠１１と、下枠１２と、左右の縦枠１３とを四周枠組みして構成されている。上枠１１および下枠１２には戸本体２０を案内するレールとしてガイドレール１４，１５が設けられている。
ガイドレール１４，１５は、上枠１１、下枠１２の長手方向に連続して形成されているが、各縦枠１３間の長さ寸法（見付け寸法）よりも短くされている。このため、ガイドレール１４，１５の両端と縦枠１３との間には、隙間（図示略）が形成されている。本実施形態では、この隙間によってレールの両端部に形成される切欠部が構成されている。
【００２２】
戸本体２０は、前記２枚の障子２０Ａ，２０Ｂと、これらの各障子２０Ａ，２０Ｂを二つ折り可能に連結する連結框２０Ｃとを備えたものである。
各障子２０Ａ，２０Ｂは、上框２１と、下框２２と、左右の縦框２３，２４とを四周枠組みした内部に面材２５を配置して構成されている。
縦框２３，２４は、戸本体２０の左右両端に設けられる縦框（戸先框）２３と、戸本体２０の見付け方向中央部に設けられて前記連結框２０Ｃで回動自在に連結された縦框（召合せ框）２４とされている。また、各障子２０Ａ，２０Ｂの一方の障子の縦框２３は、戸本体２０の吊元側縦框２３Ａとされ、他方の障子の縦框２３は、戸本体２０の可動側縦框２３Ｂとされている。
【００２３】
各縦框２３の上端には、前記ガイドレール１４に沿って移動する同一構造（形状および寸法が同一）の上戸車３０がそれぞれ設けられている。
上戸車３０は、ガイドレール１４に沿って摺動される摺動戸車である。そして、吊元側縦框２３Ａに設けられる上戸車３０は、吊元側上戸車３０Ａとしてガイドレール１４に沿って移動できないように設けられている。また、可動側縦框２３Ｂに設けられる上戸車３０は、可動側上戸車３０Ｂとしてガイドレール１４に沿って摺動移動可能に設けられている。
【００２４】
次に、各上戸車３０Ａ，３０Ｂの構成について詳細に説明する。
吊元側上戸車３０Ａは、図４，５に示すように、縦框２３の上端内部に取り付けられたケース３１と、ケース３１内に挿入配置されたガイドホルダ３２と、ケース３１内に配置されて前記ガイドホルダ３２を上方に付勢する付勢手段としてのコイルバネ３３と、前記ガイドホルダ３２をコイルバネ３３の付勢力に抗して下方に移動可能な操作部材３４と、ガイドホルダ３２に対して着脱可能に取り付けられたガイド片３５とを備えている。
【００２５】
一方、可動側上戸車３０Ｂは、吊元側上戸車３０Ａと同様に、ケース３１、ガイドホルダ３２、コイルバネ３３、操作部材３４、ガイド片３５を備えている。なお、可動側上戸車３０Ｂにおけるガイドホルダ３２とガイド片３５の取り付け向きは、吊元側上戸車３０Ａにおけるガイドホルダ３２とガイド片３５の取り付け向きから９０度回転された向きとなっている。
【００２６】
ケース３１は、図５に示すように下面部３１１を備えた略中空筒状に形成され、縦框２３の上端内部に挿入固定されている。
ガイドホルダ３２は、図４に示すように、略円筒状に形成されて内部に前記各ガイド片３５が着脱可能に取り付けられるホルダ本体３２１と、前記ホルダ本体３２１の下方に設けられた円板状のフランジ３２２と、フランジ３２２から下方に向かって延長された係止軸部３２３とを備えている。
そして、ガイドホルダ３２は、前記ケース３１内に上下方向に移動可能にかつ回動可能に挿入されている。
【００２７】
ホルダ本体３２１の内周面には、ガイド片３５を上下方向に移動可能に案内する突条部３２１Ａが形成されている。また、ホルダ本体３２１の下端部には、前記ガイド片３５が係止される係止溝３２１Ｂが形成されている。
フランジ３２２は、円板状に形成され、ホルダ本体３２１の下面から所定寸法離れて配置されている。
係止軸部３２３は、コイルバネ３３で付勢されたガイドホルダ３２が、ケース３１から外れないように係止するために設けられている。具体的には、図５にも示すように、係止軸部３２３は下方に向かって延長され、その先端（下端）は二股に分かれている。ケース３１の下面に突出された係止軸部３２３の先端には、係止部３２４が左右方向に突設されており、この係止部３２４をケース３１の下面部３１１に形成された係止穴に係合することで、ガイドホルダ３２はケース３１から抜け出ることがないように係止されている。
【００２８】
コイルバネ３３は、ケース３１内において、前記係止軸部３２３に挿通され、ケース３１の下面部３１１および前記フランジ３２２間に介在されている。
操作部材３４は、縦框２３の側面に形成された開口２３１に対して上下方向に移動可能に取り付けられている。この操作部材３４は、利用者が指を掛けて操作部材３４を押し下げるための操作摘み３４１と、前記フランジ３２２の上面に係合する係合突起３４２とを備えている。
【００２９】
ガイド片３５は、図４に示すように、ガイドホルダ３２内に挿入、取り付けられる取付部３５１と、ガイドホルダ３２の上面に配置される上面プレート部３５２とを備えている。
取付部３５１には、前記突条部３２１Ａに案内される溝部３５１Ａと、前記係止溝３２１Ｂに係合する係合部３５１Ｂとが設けられている。このため、ガイド片３５は、ガイドホルダ３２に対して回り止めされた状態で着脱可能に取り付けられている。
上面プレート部３５２には、吊元用ガイド溝３５３および可動用ガイド溝３５６が直交して形成されている。吊元用ガイド溝３５３および可動用ガイド溝３５６は、前記ガイドレール１４に係合するように構成されている。
【００３０】
吊元用ガイド溝３５３は、その両端のうちの一端側は上面プレート部３５２の端縁まで形成されて上面プレート部３５２の端部に開口されている。一方、吊元用ガイド溝３５３の他端側は、上面プレート部３５２の端縁手前までしか形成されておらず、その端部は係止壁部３５４で塞がれている。
可動用ガイド溝３５６は、その両端は上面プレート部３５２の端縁まで形成されて上面プレート部３５２の端部に開口されている。
【００３１】
図４の左半分および図７に示すように、吊元用ガイド溝３５３を戸本体２０の見付け方向（ガイドレール１４に沿った方向）に向ければ、ガイドレール１４と縦枠１３間の隙間１４１部分にガイド片３５の係止壁部３５４が配置される。このため、ガイド片３５は係止壁部３５４がガイドレール１４の端面に当接し、ガイドレール１４に沿った方向に移動不可能となる。従って、このガイド片３５は、吊元側ガイド片３５Ａとして利用されている。
一方、図４の右半分および図７に示すように、可動用ガイド溝３５６を戸本体２０の見付け方向に向ければ、ガイド片３５はガイドレール１４に沿った方向に移動可能となる。このため、このガイド片３５は、可動側ガイド片３５Ｂとして利用されている。
また、図６に示すように、上戸車３０のガイド片３５において吊元用ガイド溝３５３に沿った方向の外形寸法Ｌ２は、可動用ガイド溝３５６に沿った方向の外形寸法Ｌ３よりも小さく設定されている。
【００３２】
図６，７に示すように、上枠１１の吊元側となる一方の端部（図７中、左側）においては、吊元側設定部材４０が、この吊元側設定部材４０と、吊元側ガイド片３５Ａ側の縦枠１３におけるこの縦枠内側面１３１との間隔が寸法Ｌ１となる位置に配置されている。
吊元側設定部材４０と縦枠内側面１３１との間隔寸法Ｌ１は、吊元側ガイド片３５Ａの見付け方向の長さ寸法（上面プレート部３５２において吊元用ガイド溝３５３に沿った方向の外形寸法Ｌ２）以上、かつ、可動側ガイド片３５Ｂの見付け方向の長さ寸法（上面プレート部３５２において可動用ガイド溝３５６に沿った方向の外形寸法Ｌ３）未満に設定されている。
【００３３】
また、戸本体２０を開いた際に、両縦框２３に取り付けられた当接部としての各操作部材３４が互いに当接するように構成されている。可動側ガイド片３５Ｂは、各操作部材３４が互いに当接する位置まで、吊元側ガイド片３５Ａに向かって移動され、その位置まで戸本体２０が開放可能に構成されている。各操作部材３４が互いに当接することによって、吊元側上戸車３０Ａと可動側上戸車３０Ｂとの間隔寸法Ｗ２が確保され、吊元側設定部材４０は、吊元側上戸車３０Ａと可動側上戸車３０Ｂとの間隔に配置されている。吊元側設定部材４０の見込み方向の長さ寸法Ｗ１は、吊元側上戸車３０Ａと、戸本体２０が開いた状態における可動側上戸車３０Ｂとの間隔寸法Ｗ２よりも小さく設定され、吊元側設定部材４０が吊元側ガイド片３５Ａと可動側ガイド片３５Ｂのいずれにも当接しない位置に配置されるように構成されている。
【００３４】
次に、吊元側設定部材４０の構成について詳細に説明する。
図８，９に示すように、吊元側設定部材４０は、設定部本体４１と係止部４２とを有している。設定部本体４１は、平面略正方形状に形成され、中央部にビス止め用のザグリ部４１１が設けられている。係止部４２は、設定部本体４１よりも厚さ寸法が小さく形成され、中央部にスナップ部４２１が設けられている。スナップ部４２１は、係止部４２において先端部（図９中、右部分）から設定部本体４１に向かう方向に傾斜して構成され、傾斜部分の先端部は、係止部４２の厚さ方向に移動可能に設けられている。
【００３５】
図１０，１１に示すように、上枠１１のガイドレール１４には取付孔１４２が形成されている。取付孔１４２には、吊元側設定部材４０の係止部４２が脱衣室側から挿入され、スナップ部４２１によって吊元側設定部材４０が着脱可能に係止されている。
取付孔１４２は、ガイドレール１４の両端部において、それぞれ隣設する縦枠１３の内側面１３１から等しい寸法の位置に形成されている。これによって、吊元側設定部材４０を吊元側ガイド片３５Ａの設定される側に選択的に取り付けることができ、設置作業時に折戸１の開方向の向きが変更されても、すぐに対応できるように構成されている。
【００３６】
〔折戸の施工手順〕
次に、このように構成された本実施形態の折戸１の施工手順に関して説明する。
まず、工場等において、戸本体２０を製造する際には、図４に示すように、上戸車３０のケース３１、ガイドホルダ３２、コイルバネ３３、操作部材３４、ガイド片３５は、予め縦框２３に組み付けておく。同様に、下戸車のケース、ガイドホルダ、ガイド片も予め縦框２３に組み付けておく。なお、吊元側上戸車３０Ａにおけるガイド片３５は、吊元用ガイド溝３５３を戸本体２０の見付け方向に向け、吊元側ガイド片３５Ａとしておく。また、可動側上戸車３０Ｂにおけるガイド片３５は、可動用ガイド溝３５６を戸本体２０の見付け方向に向け、可動側ガイド片３５Ｂとしておく。
また、図１０に示すように、吊元側設定部材４０は、上枠１１の吊元側の端部に取り付けておく（図１０中、実線で示す位置）。なお、折戸１の施工現場において、吊元側が上枠１１の左右反対に変更された場合には、吊元側設定部材４０を取り外して、反対側の取付孔１４２に取り付ければよい（図１０中、２点鎖線で示す手順）。
【００３７】
そして、枠体１０を浴室開口部に取り付けた後、戸本体２０を枠体１０に取り付ける。
すなわち、図５（Ｂ）に示すように、操作部材３４で上戸車３０をコイルバネ３３に抗して下方に押し下げた状態で、戸本体２０の下戸車をガイドレール１５に係合する。次いで、戸本体２０を垂直に配置した後、図５（Ａ）に示すように、前記上戸車３０を上方に戻して各吊元用ガイド溝３５３、可動用ガイド溝３５６をガイドレール１４に係合する。
【００３８】
この際、吊元側ガイド片３５Ａは、前記吊元用ガイド溝３５３の係止壁部３５４が、ガイドレール１４の端面に当接する位置に配置される。このため、吊元側ガイド片３５Ａはガイドレール１４に対して移動不可能に取り付けられることになるので、吊元側ガイド片３５Ａが取り付けられた縦框２３は吊元側の縦框２３となる。
一方、可動側ガイド片３５Ｂは、ガイドレール１４に対して移動可能であるため、可動側ガイド片３５Ｂが取り付けられた縦框２３は可動側の縦框２３となる。
なお、吊元側ガイド片３５Ａは、縦枠１３と吊元側設定部材４０との間に配置される。この際、万が一、ガイド片３５が可動側ガイド片３５Ｂとなる向きになっていた場合には、縦枠１３と吊元側設定部材４０との間隔寸法Ｌ１が可動側上戸車３０Ｂの見込み方向の長さ寸法Ｌ３より小さく設定されているので、ガイド片３５が間違った向きで取り付けられることはない。このため、吊元側ガイド片３５Ａは、吊元側設定部材４０によって、ガイドレール１４に対して移動不能となる向きに必ず設定されて取り付けられる。
【００３９】
〔折戸の開閉時の動作〕
折戸１の通常使用時には、可動側縦框２３Ｂを吊元側に移動すれば、可動側ガイド片３５Ｂはガイドレール１４に沿って移動する。この際、各縦框２３は上戸車３０、下戸車に対して回動する。このため、各障子２０Ａ，２０Ｂは、各縦框２３を回動軸として回動し、連結框２０Ｃ側の各縦框２４は、ガイドレール１４，１５に対して浴室内に移動されるとともに、戸本体２０は連結框２０Ｃ部分で二つ折りにされ、折戸１は開かれる。折戸１を閉める場合には、上記と逆の操作を行えばよい。
【００４０】
〔折戸の取外作業〕
また、万一、浴室内で事故が発生したため等で、折戸１を取り外す必要がある場合には、作業者は操作摘み３４を操作し、ガイドホルダ３２および吊元側ガイド片３５Ａや可動側ガイド片３５Ｂを押し下げる。これにより、ガイドレール１４と各ガイド片３５Ａ，３５Ｂとの係合状態が解除されるので、戸本体２０を枠体１０から取り外すことができる。
なお、浴室内の人を救出した後は、取外作業と逆の手順（ドア施工時と同様の手順）で戸本体２０を取り付ければよい。
この際、吊元側ガイド片３５Ａは、縦枠１３と吊元側設定部材４０との間に配置されるので、間違ってガイド片３５を可動側ガイド片３５Ｂとなる向きに設定した場合には、縦枠１３と吊元側設定部材４０との間隔寸法Ｌ１が可動側上戸車３０Ｂの見込み方向の長さ寸法Ｌ３より小さく設定されているので、ガイド片３５が間違った向きのままで取り付けられることはない。
【００４１】
このような本実施形態によれば、以下のような効果がある。
(1) 吊元側設定部材４０の係止部４２をガイドレール１４の取付孔１４２に挿入して係止させるだけで、吊元側設定部材４０を上枠１１に容易に取り付けることができ、ビス等の固定具を必要としないので、施工作業性を向上できる。
【００４２】
(2) 吊元用ガイド溝３５３および可動用ガイド溝３５６が形成された上戸車３０を用いたので、縦框２３に対してガイド片３５を所定角度回転させて各ガイド溝３５３，３５６のいずれか一方をガイドレール１４を配置可能な向きに設けることができ、上戸車３０を吊元側上戸車３０Ａおよび可動側上戸車３０Ｂとして兼用できるので、部品点数を少なくでき、コストも低減できる。
【００４３】
(3) 吊元側ガイド片３５Ａ側の縦枠１３と吊元側設定部材４０との間隔寸法Ｌ１が、吊元側ガイド片３５Ａの見付け方向の長さ寸法Ｌ２以上、かつ、可動側ガイド片の見付け方向の長さ寸法Ｌ３未満に設定されているので、吊元側のガイド片３５を誤って可動側ガイド片３５Ｂの向きに設定した場合には、ガイド片３５と吊元側設定部材４０とが互いに干渉して、戸本体２０を枠体１０内に取り付けることができない。従って、枠体１０内に戸本体２０を取り付ける際に、吊元側のガイド片３５が、正しい向きに設定されていることを確認する手間を省くことができ、施工作業の効率化を図ることができる。
【００４４】
(4) 浴室内で事故が発生した場合のような緊急時に、操作部材３４を操作してガイドホルダ３２を下方に移動させれば、各ガイド片３５をガイドレール１４から外すことで、簡単な作業で戸本体２０を枠体１０から取り外すことができる。
また、戸本体２０を枠体１０内に再度取り付ける際に、吊元側設定部材４０が設けられているので、吊元側のガイド片３５が正しい向きに設定されていることを確認する手間を省くことができ、緊急時に利用者が戸本体２０を確実に取り付けることができ、かつ、取付作業の効率化を図ることができる。
【００４５】
(5) 吊元側設定部材４０は、ガイドレール１４に対して着脱可能に形成されているので、吊元側設定部材４０を容易に交換することができる。
【００４６】
(6) ガイドレール１４の取付孔１４２は、ガイドレール１４の両端部に形成されているので、上枠１１の両端部のどちらでも吊元側設定部材４０を取り付けることができ、上枠１１の両端部を吊元側端部と可動側端部のどちらにも設定することができる。従って、折戸１の開閉方向（右開き、左開き）に関わらず枠体１０を共通化させることができ、枠体１０の生産性を向上できる。
【００４７】
(7) 設置現場において、折戸１の開閉方向の変更が生じた場合には、上枠１１の一方の端部に取り付けられている吊元側設定部材４０を上枠１１から取り外して、もう一方の端部に取り付けることだけで、容易に開閉方向の変更をすることができる。
【００４８】
(8) 吊元側上戸車３０Ａは、ガイド片３５の係止壁部３５４がガイドレール１４の隙間（切欠部）１４１に当接することでガイドレール１４に対して移動不能に設定されているため、吊元側設定部材４０は、吊元側上戸車３０Ａの移動を規制する機能を有する必要はない。このため、吊元側上戸車３０Ａから吊元側設定部材４０に作用する力は生じず、吊元側設定部材４０の剛性や耐荷重を小さくでき、その分、吊元側設定部材４０を薄くかつコンパクトな構造にすることができる。従って、吊元側設定部材４０の厚さ寸法をガイドレール１４の高さ寸法より小さく設定する、つまり、ガイドレール１４よりも戸本体２０側に突出しない寸法に設定することができ、有効開口寸法を確保することができて戸本体２０を枠体１０に対してスムーズに開閉させることができる。
【００４９】
(9) 折戸１を開いた際に、吊元側ガイド片３５Ａに近づく方向に移動される可動側ガイド片３５Ｂが吊元側設定部材４０と当接しないので、吊元側設定部材４０に戸本体２０を開いた際の衝撃力が加わることがないため、吊元側設定部材４０の剛性や耐荷重はさらに小さくでき、その分、吊元側設定部材４０を薄くかつコンパクトな構造にすることができる。
【００５０】
なお、本発明は、前記実施形態に限定されるものではない。
例えば、前記実施形態では、戸本体２０を開状態にした際に、吊元側設定部材４０が可動側上戸車３０Ｂと当接しないように、各上戸車３０Ａ，３０Ｂ間の間隔を保持する当接部として操作部材３４を兼用していたが、各縦框２３，２４に専用の当接部を設けてもよい。
【００５１】
さらに、このような当接部を設けず、可動側上戸車３０Ｂが吊元側設定部材４０に当接するように構成されていてもよい。このような構成では、折戸１を開いた際に、吊元側上戸車３０Ａに近づく方向に移動される可動側上戸車３０Ｂが吊元側設定部材４０と当接するので、操作部材３４等の当接部を設ける必要が無いという効果がある一方、吊元側設定部材４０の剛性を高めたり、上枠１１にビス止め等で取付強度を向上させる必要がある。
【００５２】
また、前記実施形態では、ガイドレール１４に形成された取付孔１４２に吊元側設定部材４０を挿入して固定させていたが、図１２に示すように、吊元側設定部材４０における係止部４２を設定部本体４１との連結部分で折って、設定部本体４１のみを上枠１１にビス止めで固定させてもよい。このような構成によれば、取付孔が形成されていないガイドレール１４であっても、吊元側設定部材４０をビス止めで上枠１１に固定させることができる。なお、吊元側設定部材４０にザグリ部４１１を形成して、タッピンねじ５０等でザグリ部４１１をねじ切りさせながら、容易にビス止めできるように構成してもよい。
【００５３】
また、吊元側設定部材４０において、係止部４２を取付孔１４２に挿入するとともに、ザグリ部４１１を介して上枠１１にビス止めすることで、吊元側設定部材４０をより強固に上枠１１に取り付けてもよい。この際、図８，９に示すようにザグリ部４１１の中央部に凹部を設けて、タッピンねじ５０の先端の位置決めを確実に行えるようにしてもよい。
このような吊元側設定部材４０を用いれば、係止部４２を取付孔１４２に挿入することで取り付ける場合と、係止部４２を切除してビス止めのみで取り付ける場合と、係止部４２の挿入およびビス止めで取り付ける場合との３パターンの取付に対応可能な吊元側設定部材にでき、吊元側設定部材の種類を軽減できる利点がある。
なお、吊元側設定部材は、ビス止め可能に形成されていなくてもよく、係止部４２が設定部本体４１から切除可能に形成されていなくてもよく、少なくとも取付孔１４２に挿入されることで上枠１１に取り付けられるように形成されていればよい。
【００５４】
また、吊元側設定部材４０は、製造工場において、上枠１１の一方の端部、例えば、戸本体２０を浴室側から見た場合の左側端部に標準的に取り付けられるようにしてもよい。この場合、施工現場において、吊元側が上枠１１の他方の端部に設定されている場合には、吊元側設定部材４０を一方の端部から取り外し、他方の端部に差し替えればよい。このような構成によれば、製造工場では、常に一方の側に吊元側設定部材４０を取り付ければよいため、枠体１０の製造効率を向上できる。
【００５５】
また、前記実施形態では、ガイドレール１４の両端部に取付孔１４２が形成されていたが、取付孔は、吊元側となる端部のみに形成されていてもよい。
また、前記実施形態では、吊元側設定部材４０は上枠１１に着脱自在に構成されていたが、吊元側設定部材４０は、一旦、上枠１１に固定すれば、その後は外すことができないように構成されていてもよい。
【００５６】
さらに、ガイドホルダ３２、コイルバネ３３、操作部材３４の具体的な構成、形状等は前記実施形態のものに限らない。例えば、付勢手段としてはコイルバネに限定されず、他のバネ材を用いてもよい。
また、前記実施形態では、ガイドホルダ３２とガイド片３５とは互いに別体で構成されていたが、上戸車３０としてはガイドホルダ３２とガイド片３５とが一体的に構成されていてもよい。
【００５７】
また、前記実施形態では、上戸車３０は、ケース３１、ガイドホルダ３２、コイルバネ３３、操作部材３４を備え、緊急時に戸本体２０を枠体１０から容易に取り外すことができるように構成されていたが、本発明はこのような機能を備える折戸に限らない。
【００５８】
また、前記実施形態では、吊元側上戸車３０Ａは、ガイド片３５の係止壁部３５４がガイドレール１４の隙間（切欠部）１４１に当接することによって、ガイドレール１４に対して移動不能に設定されていたが、本発明では、吊元側上戸車は、上枠の吊元側端部において吊元側設定部材に当接されることによって、ガイドレールに対して移動不能に設定されていてもよい。
具体的には、上戸車の上面に両端が上戸車側面に開口されてガイドレールに案内されるガイド溝を形成し、吊元側上戸車が上枠の吊元側端部において縦枠内側面と前記吊元側設定部材との間に配置され、これらに当接されるように構成してもよい。
このような構成によれば、ガイド溝が形成された上戸車を吊元側上戸車および可動側上戸車として兼用できるので、ガイド溝を有する一般的な戸車を上戸車として採用できる。
【００５９】
本発明の折戸は、吊元側上戸車および可動側上戸車に兼用できる上戸車が各縦枠に取り付けられた折戸に広く適用できる。また、浴室ドア用に限らず、例えば、居室の出入口に設けられるドア等に用いられる折戸にも適用できる。すなわち、本発明は、浴室ドアに限らず、各居室のドア等の折戸に適用することもできる。
【図面の簡単な説明】
【００６０】
【図１】本発明の実施形態にかかる折戸の浴室側を示す正面図。
【図２】前記折戸の概略縦断面図。
【図３】前記折戸の概略横断面図。
【図４】前記折戸の上戸車の構成を示す分解斜視図。
【図５】前記上戸車の縦断面図であり、（Ａ）はガイドホルダが付勢手段で付勢された状態の断面図、（Ｂ）はガイドホルダを下方に移動した状態の断面図。
【図６】前記折戸の開状態において、前記折戸の吊元側設定部材とガイド片との位置関係を示す平面図。
【図７】前記折戸の開状態において、前記折戸の吊元側設定部材とガイド片との位置関係を示す正面図。
【図８】前記吊元側設定部材の縦断面図。
【図９】前記吊元側設定部材の平面図。
【図１０】前記折戸の上枠を浴室側から見た斜視図であって、前記吊元側設定部材の配置される位置を示す斜視図。
【図１１】前記吊元側設定部材の固定状態を示す縦断面図。
【図１２】本発明の変形例に係る吊元側設定部材の固定状況を示す縦断面図。
【符号の説明】
【００６１】
１…折戸、１０…枠体、１１…上枠、１２…下枠、１３…縦枠、１４…ガイドレール（レール）、２０…戸本体、２３Ａ…吊元側縦框、２３Ｂ…可動側縦框、３０…上戸車、３０Ａ…吊元側上戸車、３０Ｂ…可動側上戸車、３４…操作部材（当接部）、４０…吊元側設定部材、４１…設定部本体、４２…係止部、１３１…縦枠内側面、１４１…隙間（切欠部）、１４２…取付孔、３５３…吊元用ガイド溝、３５４…係止壁部、３５６…可動用ガイド溝。
【図１】
0004528737.tif 000002
【図２】
0004528737.tif 000003
【図３】
0004528737.tif 000004
【図４】
0004528737.tif 000005
【図５】
0004528737.tif 000006
【図６】
0004528737.tif 000007
【図７】
0004528737.tif 000008
【図８】
0004528737.tif 000009
【図９】
0004528737.tif 000010
【図１０】
0004528737.tif 000011
【図１１】
0004528737.tif 000012
【図１２】
0004528737.tif 000013